(57)【特許請求の範囲】
【請求項１】
自動車のルームミラーをフロントガラスへ取り付ける方法であって、
ルームミラーが、鏡面を含む本体部と、該本体部を着脱自在に取り付け可能なミラーベースから構成されており、
該ミラーベースを両面テープ状の接着剤でフロントガラスへ取り付けるミラーベース取り付けステップと、
前記ミラーベースに本体部を取り付ける本体部取り付けステップと、を含み、
前記接着剤が非導電性のアクリルエポキシ樹脂を含んで成り、
前記ミラーベース取り付けステップが、
前記接着剤を挟んでいるミラーベースとフロントガラスのそれぞれに電極を取り付けるステップと、
前記接着剤を高周波誘電加熱によらない加熱手段で加熱するとともに、両電極間に高周波電圧を印加して前記接着剤を高周波誘電加熱する、接着剤加熱ステップと、を含む、
ことを特徴とする方法。
【請求項２】
前記高周波誘電加熱によらない加熱手段が、前記ミラーベースに取り付けた電極に接続されたヒータである、ことを特徴とする請求項１に記載の方法。
【請求項３】
前記接着剤の温度を検出するための温度検出手段を備え、前記接着剤加熱ステップの間、該温度検出手段により接着剤の温度を監視する、ことを特徴とする請求項１に記載の方法。
【請求項４】
前記両面テープ状の接着剤を、前記ミラーベース取り付けステップに先んじて、予め前記ミラーベースに取り付けるステップを含む、ことを特徴とする請求項１に記載の方法。
【請求項５】
前記高周波電圧が、４〜８０ＭＨｚの周波数を有することを特徴とする請求項１に記載の方法。
【発明の詳細な説明】
【０００１】
【発明の属する技術分野】
本発明は熱硬化性樹脂からなる接着剤を使用した物品の取り付け方法に関し、特には自動車のルームミラーをフロントガラスへ取り付ける方法に関する。
【０００２】
【従来の技術】
幅広い工業分野の製造工程において接着剤が使用されている。例えば、自動車のルームミラーは、従来ルーフ構造部材へネジ止めで取り付けられてきたが、この取り付け作業は下から上を向いて作業をおこなわねばならず改善が求められ、その結果、最近では、ルームミラーを、鏡面を含む本体部とこの本体部が着脱自在に取り付けられるミラーベースに分け、ミラーベースを接着剤を使用して単体状態のフロントガラスへ取り付けてしまう方法が採用され始めている。
【０００３】
ここで、ルームミラーは安全が運転のために必要不可欠のものであり確実に取り付けられるように高い接着強度が要求される。そこで、上記のように接着剤を使用する場合には、接着剤として熱硬化性樹脂を使用し、熱を加えて樹脂を硬化させることによって高い接着強度を得ている。
【０００４】
【発明が解決しようとする課題】
しかしながら、ここで、ミラーベースの面積は、たかだか数ｃｍ四方であり、使用される熱硬化性樹脂の面積もたかだか数ｃｍ四方であるにもかかわらず、熱硬化性樹脂を加熱するために、大きなフロントガラス（１．５ｍ×１ｍ程度）の全体をオーブンにいれて加熱しており、大規模な設備が必要であり、また、エネルギーの無駄が大きく、改善が強く望まれていた。
【０００５】
本発明は、上記問題に鑑み、接着剤でルームミラーをフロントガラスに簡単に無駄なく取り付ける方法を提供することを目的とする。
【０００６】
【課題を解決するための手段】
請求項１の発明によれば、自動車のルームミラーをフロントガラスへ取り付ける方法であって、
ルームミラーが、鏡面を含む本体部と、該本体部を着脱自在に取り付け可能なミラーベースから構成されており、
該ミラーベースを両面テープ状の接着剤でフロントガラスへ取り付けるミラーベース取り付けステップと、
前記ミラーベースに本体部を取り付ける本体部取り付けステップと、を含み、
前記接着剤が非導電性のアクリルエポキシ樹脂を含んで成り、
前記ミラーベース取り付けステップが、
前記接着剤を挟んでいるミラーベースとフロントガラスのそれぞれに電極を取り付けるステップと、
前記接着剤を高周波誘電加熱によらない加熱手段で加熱するとともに、両電極間に高周波電圧を印加して前記接着剤を高周波誘電加熱する、接着剤加熱ステップと、を含む、
ことを特徴とする方法が提供される。
このような方法によれば、ルームミラーは接着剤でガラスに取り付けられるミラーベースに本体部を取り付けておこなわれるが接着剤は、高周波誘電加熱によらない加熱手段で加熱されるとともに高周波誘電加熱され硬化時間が短い。
【０００７】
請求項２の発明によれば、請求項１の発明において、 前記高周波誘電加熱によらない加熱手段が、前記ミラーベースに取り付けた電極に接続されたヒータである、方法が提供される。
このような方法によれば、接着剤は高周波に加えてミラーベースの電極に取り付けられたヒータでも熱硬化される。
【０００８】
請求項３の発明によれば、請求項１の発明において、接着剤の温度を検出するための温度検出手段を備え、接着剤加熱ステップの間、該温度検出手段により接着剤の温度を監視する、方法が提供される。
請求項４の発明によれば、請求項１の発明において、接着剤が両面テープ状にされ、ミラーベース取り付けステップに先んじて、該両面テープ状の接着剤を予めミラーベースに取り付けておくステップを含む、方法が提供される。
請求項５の発明によれば、請求項１の発明において、高周波電圧が、４〜８０ＭＨｚの周波数を有する方法が提供される。
【０００９】
【発明の実施の形態】
以下、添付の図面を参照して本発明の実施の形態を説明する。
図１は自動車の車体へ装着する前の単体状態での自動車のフロントガラス１０の内側表面１１に熱硬化性のアクリルエポキシ系樹脂からなる両面テープ２０でルームミラーのミラーベース１１０を取り付けたものに、高周波誘電加熱によって両面テープ２０を選択的に熱硬化させる様子を示したものである。
【００１０】
フロントガラス１０は図示のように、ミラーベース１１０が両面テープ２０で取り付けられた、内側表面１１を上側にして、支持台５の上に載置される。
フロントガラス１０の外側表面１２の、両面テープ２０の裏側の位置に、第１電極３０が下側から図示しない適切な方法、例えばバネで押し付けられる。
一方、ミラーベース１１０の反フロントガラス側には上側から図示しない適切な方法により、第２電極４０が、例えばバネで押し付けられる。
【００１１】
第１電極３０と第２電極４０は、両者の間に電圧が印加できるように、それぞれ高周波電源６０に連結されている。そして、第２電極４０内部には温度検出用の熱電対７０が埋め込まれ、また、第２電極側にはヒータ６０が添接されている。なお、熱電対７０は温度計７５に接続されている。
【００１２】
上記のようにしてから、高周波電源６０のスイッチ６１をＯＮにして両面テープ２０のアクリルエポキシ系樹脂内で高周波誘電が発生せしめると共に、ヒータ５０のスイッチ５１もＯＮにする。すると、高周波誘電による自己発熱と、ヒータ５０からの伝熱により、アクリルエポキシ系樹脂は加熱されて硬化する。
この間、温度計７５で両面テープ２０の温度に略等しい第２電極４０内の温度を監視し、両面テープ２０への加熱量が適切になるように調整する。
【００１３】
例えば、両面テープ２１の面積が約８ｃｍ2である場合において、周波数４〜８０ＭＨｚの高周波電圧を印加し、ヒータ５０の設定温度を１４０℃とした場合に１分強で、従来のガラスごと加熱する場合に１４０℃で２５分もかけて得ていたのと同様に硬化させることができ、作業時間を格段に短かくすることができるのである。また、両面テープ２０の部分のみを選択的に加熱するので、無駄がない。
【００１４】
なお、高周波誘電加熱は、分子間において高周波電界の極性変化に伴う、激しい運動が起こり、摩擦熱（分子間結合力の抵抗による誘電損失が熱となる）が発生することによりおこなわれ、被加熱物（本実施の形態における両面テープ）が得る熱量は、周知の通り、周波数、誘電率に比例する。
【００１５】
図２は、フロントガラス１０（図示せず）に上記のようにして確実に取り付けられたミラーベース１１０に取り付けられる後写鏡本体部１２０を示しており、後写鏡本体部１２０はミラーベース１１０に係合するように成形された係合支持部１３０と、該係合支持部に取り付けられたステー１４０と、ステー１４０に回動自在に取り付けられた鏡体部１５０から成る。
そして、図３はミラーベース１１０に後写鏡本体部１２０が取り付けられて成る後写鏡１００の取り付け位置を示す、車両の斜視図である。
【００１６】
本発明は自動車のルームミラーをフロントガラスへ取り付ける方法ではあるが、ガラスクリップ、ガラスグリップ、ガラスホルダ等のガラス製部品を金属部品や樹脂部品等と接着する場合等にも適用することができる。
【００１７】
【発明の効果】
本発明は、自動車のルームミラーをフロントガラスへ取り付ける方法であるが、ルームミラーが、鏡面を含む本体部と、該本体部を着脱自在に取り付け可能なミラーベースから構成されており、該ミラーベースを両面テープ状の接着剤でフロントガラスへ取り付けるミラーベース取り付けステップと、前記ミラーベースに本体部を取り付ける本体部取り付けステップと、を含み、前記接着剤が非導電性のアクリルエポキシ樹脂を含んで成り、前記ミラーベース取り付けステップが、前記接着剤を挟んでいるミラーベースとフロントガラスのそれぞれに電極を取り付けるステップと、前記接着剤を高周波誘電加熱によらない加熱手段で加熱するとともに、両電極間に高周波電圧を印加して前記接着剤を高周波誘電加熱する、接着剤加熱ステップと、を含むものである。
両面テープ状の接着剤を用いることにより、加熱前においても粘着性を有するのでルームミラーをフロントガラスに仮止めでき、高周波加熱を行う際に必要となる電極の取り付けを容易にできるとともに、接着剤の厚みや面積を設定しやすいため、高周波誘電加熱の調整も容易である。
また、接着剤を高周波誘電加熱によらない加熱手段で加熱するとともに、両電極間に高周波電圧を印加して接着剤を高周波誘電加熱することによって接着剤の硬化時間を短くすることができる。
【図面の簡単な説明】
【図１】本発明に使用される装置を説明する図である。
【図２】ミラーベース１１０に取り付けられる後写鏡本体部１２０を示す図である。
【図３】ミラーベース１１０に後写鏡本体部１２０が取り付けられて成る後写鏡１００の取り付け位置を示す車両の斜視図である。
【符号の説明】
５…支持台
１０…フロントガラス
２０…両面テープ
３０…第１電極
４０…第２電極
５０…ヒータ
６０…高周波電源
７０…熱電対
７５…温度計
１００…ルームミラー
１１０…ミラーベース
１２０…ミラー本体部
【図１】
0004698058.tif 000002
【図２】
0004698058.tif 000003
【図３】
0004698058.tif 000004